(57)【特許請求の範囲】
【請求項１】
所定の情報を伝送路を介して伝送し、伝送した前記情報を受信装置で受信し、前記受信装置で受信した前記情報を記録媒体に記録し、前記記録媒体に記録した情報を、表示装置に表示する情報表示方法において、
前記情報に重要度を付属させ、
前記重要度と、前記情報が前記受信装置により受信された時刻からの経過時間に基づいて、前記情報の優先度を決定し、
前記情報を前記優先度の順に所定の数だけ読み出し、
前記情報の見出しを前記優先度に対応する順番で表示し、
前記情報の見出しを前記優先度に対応する順番で表示している状態において、より詳細な情報の表示が指令されたとき、表示中の前記情報のより詳細な情報を表示する
ことを特徴とする情報表示方法。
【請求項２】
前記情報は、マルチメディア化されたニュース記事である
ことを特徴とする請求項１に記載の情報表示方法。
【請求項３】
所定の情報を伝送路を介して伝送し、伝送した前記情報を受信装置で受信し、前記受信装置で受信した前記情報を記録媒体に記録し、前記記録媒体に記録した情報を、表示装置に表示する情報表示方法において、
前記情報に重要度を付属させ、
前記情報のジャンル毎に、ユーザの関心度を設定し、
前記重要度、前記情報が前記受信装置により受信された時刻からの経過時間、および前記関心度に基づいて、前記情報の優先度を決定し、
前記情報を前記優先度の順に所定の数だけ読み出し、
前記情報の見出しを前記優先度に対応する順番で表示し、
前記情報の見出しを前記優先度に対応する順番で表示している状態において、より詳細な情報の表示が指令されたとき、表示中の前記情報のより詳細な情報を表示する
ことを特徴とする情報表示方法。
【請求項４】
前記情報は、マルチメディア化されたニュース記事である
ことを特徴とする請求項３に記載の情報表示方法。
【発明の詳細な説明】
【０００１】
【産業上の利用分野】
本発明は、情報表示方法に関し、例えば、新聞や、雑誌、書籍などの刊行物のデータや、広告のデータなどを電子的に配信する場合に用いて好適な情報表示方法に関する。
【０００２】
【従来の技術】
従来より、例えばパソコン通信のホットニュースサービスのように、予め、データベースセンタのデータベースに最新のホットニュースを用意しておき、ユーザが電話回線を介してデータベースセンタのデータベースにアクセスし、そこから、アクセスしたその時点の最新のニュースを読み出すことができるサービスが既に提供されている。
【０００３】
このような現行のサービスにおいては、記者により取材され、その後、新聞社に集められたニュースが、新聞社からパソコン通信などのサービス運用会社に到着した順に表示されるようになされている。従って、ユーザは、このサービス運用会社にアクセスすることにより、常に最新のニュースを入手することができる。
【０００４】
一方、衛星のような大容量の伝送メディアによって、多種類のマルチメディアデータが伝送され、それを受信したユーザが、そこから必要なデータだけを所定の記録媒体に記録し、疑似的にインタラクティブなデータ提供、およびデータ受信を行うようなシステムにおいて、ホットニュースサービスを提供または受信することを考えてみると、データ受信側に記録媒体を備えているため、データ送信側においては、定期的にデータを更新するのではなく、ニュースが入ってくる度に、逐次データをデータ受信側に伝送することによって、データ受信側においては、常に最新のデータを記録媒体に記録しておくことが可能となる。
【０００５】
この場合、データ受信側においては、データ送信側からのニュースが逐次受信されるため、ある時点において、各ユーザにとって重要な最新のホットニュースを、ユーザ側で管理する必要がある。
【０００６】
【発明が解決しようとする課題】
このように、従来のサービスにおいては、最新のニュースが逐次送信されるため、どのニュース記事が重要なのか不明であり、大変読みづらい課題があった。
【０００７】
さらに、トップ（総合）面では、新聞社が決めた選択基準により、政治、経済等の各ジャンルの記事が選ばれており、個々のユーザ（読者）の好みは全く考慮されておらず、ユーザの好みを反映した形でトップ面の記事を表示させることができない課題があった。
【０００８】
本発明は、このような状況に鑑みてなされたものであり、ユーザ側で蓄えられたホットニュース（マルチメディア記事データ）を、情報提供者側の判断した重要度により選択的に表示したり、あるいは、ユーザの政治、経済等のジャンルに対する好みを反映した形で、トップ面の記事を選択し、それを表示することができるようにするものである。
【０００９】
【課題を解決するための手段】
請求項１に記載の情報表示方法は、所定の情報を伝送路を介して伝送し、伝送した情報を受信装置で受信し、受信装置で受信した情報を記録媒体に記録し、記録媒体に記録した情報を、表示装置に表示する情報表示方法において、情報に重要度を付属させ、重要度と、情報が受信装置により受信された時刻からの経過時間に基づいて、情報の優先度を決定し、情報を優先度の順に所定の数だけ読み出し、情報の見出しを優先度に対応する順番で表示し、情報の見出しを優先度に対応する順番で表示している状態において、より詳細な情報の表示が指令されたとき、表示中の情報のより詳細な情報を表示することを特徴とする。
【００１０】
情報は、マルチメディア化されたニュース記事であるとすることができる。
【００１１】
請求項３に記載の情報表示方法は、所定の情報を伝送路を介して伝送し、伝送した情報を受信装置で受信し、受信装置で受信した情報を記録媒体に記録し、記録媒体に記録した情報を、表示装置に表示する情報表示方法において、情報に重要度を付属させ、情報のジャンル毎に、ユーザの関心度を設定し、重要度、情報が受信装置により受信された時刻からの経過時間、および関心度に基づいて、情報の優先度を決定し、情報を優先度の順に所定の数だけ読み出し、情報の見出しを優先度に対応する順番で表示し、情報の見出しを優先度に対応する順番で表示している状態において、より詳細な情報の表示が指令されたとき、表示中の情報のより詳細な情報を表示することを特徴とする。
【００１２】
情報は、マルチメディア化されたニュース記事であるとすることができる。
【００１３】
【作用】
請求項１に記載の情報表示方法においては、複数の情報が、重要度と受信時刻からの経過時間に対応した所定の順番で表示される。そして、必要に応じて所定の指令を入力することにより、より詳細な情報を見ることができる。従って、重要度が高く、かつ最新のニュースなどを簡単かつ確実に見ることができ、特に関心のある情報については、より詳細に見ることができる。
【００１４】
請求項３に記載の情報表示方法においては、複数の情報が、重要度、受信時刻からの経過時間、およびユーザの関心度に対応した所定の順番で表示される。そして、必要に応じて所定の指令を入力することにより、より詳細な情報を見ることができる。従って、重要度が高く、最新の、かつ関心のあるニュースなどを簡単かつ確実に見ることができ、特に関心のある情報については、より詳細に見ることができる。
【００１５】
【実施例】
図１は、本発明を適用したデータ放送システムの構成例を示している。このデータ放送システムにおいては、例えばテキストデータを中心とするマルチメディアデータが放送され、受信側では、これを受信して記録媒体に記録し、所望するときにそこからデータを読み出して視聴することができるようになされている。
【００１６】
情報提供者としての新聞社は、全国からの記事が集められ、記憶される記事データベース用大型計算機（以下大型計算機と略記する）１を有している。この大型計算機１に収集されたデータから、最新のホットニュース記事を作成するため、所定のデータが、編集装置（計算機）２に転送される。編集装置２においては、テキストデータから、５０字乃至１００字程度のサマリー記事が作成される。次に、見出し、それに関連する写真をディジタイズして圧縮したデータ、および動画データが付加される。さらに、サマリー記事をアナウンサーに朗読させ、その音声をディジタルデータとしたディジタル音声データ、および記事表示画面のレイアウトを指定するデータが付加される。そして、この新聞記事データの重要度を表すデータが付加される。
【００１７】
図２はこのようにして編集されたマルチメディアデータからなる記事データのフォーマットを示している。ここでは、所定の記事に、１種類の写真と、１種類の動画が付加された記事データのフォーマットの例を図示している。
【００１８】
図２に示すように、１つの記事データは、各記事固有の記事ＩＤ、記事の種類（ジャンル）、その記事が情報提供者から送られた送信日時、記事の重要度（ＩＰ）、記事の見出し、サマリー記事の文字数（テキスト文字数）、サマリー記事（サマリーテキスト）、写真ＩＤと写真サイズ、その写真の画面上の位置情報（写真レイアウト情報）、写真データへのポインタ、動画ＩＤと動画サイズ、動画を表示する画面上の位置情報（動画レイアウト情報）、動画データへのポインタ、テキストの音声読み上げデータへのポインタ、および詳細記事データへのポインタにより構成される。詳細記事データへのポインタは、サマリー記事を読んでさらに詳しい記事が読みたくなったときに、詳細記事（記事本文）を参照するための詳細記事データへのポインタである。
【００１９】
以上のように、受信側において見やすい形態に編集装置２で編集した、新聞データを核とするマルチメディア新聞記事データが、例えば地上の所定のデータ回線を介してサービス運用会社３に伝送される。さらに、サービス運用会社３には、その他の情報提供者である出版社が提供する、例えば雑誌や書籍などのデータ、さらにはテレビ局が提供する番組（映像信号と音声信号で構成される）なども供給される。
【００２０】
なお、出版社が提供する雑誌や書籍のデータは、例えば上述した新聞社が提供するデータと同様に、テキストデータ、画像データ、および音声データを組み合わせたマルチメディアデータ（以下、適宜、マルチメディア雑誌／書籍データという）とすることが可能である。
【００２１】
サービス運用会社３に伝送されたデータは、そこから衛星（放送衛星（ＢＳ）または通信衛星（ＣＳ））４に伝送され、さらに衛星４から、受信側（例えば、各家庭における受信者（契約者）など）に伝送される。即ち、情報提供者が提供する情報（データ）は、衛星回線を介して、受信者側に伝送される。
【００２２】
サービス運用会社３は、例えば図３に示すような送信装置を有している。新聞社からのマルチメディア新聞記事データと、出版社からのマルチメディア雑誌／書籍データとは、図示せぬ多重化回路で多重化され、マルチメディアデータとして、送信装置を構成するエンコーダ２５に供給される。なお、サービス運用会社３において、例えばマルチメディア雑誌／書籍データは、必要に応じて、受信側で検索し易い形に編集された後、マルチメディア新聞記事データと多重化される。
【００２３】
エンコーダ２５には、マルチメディアデータの他、例えばデータ識別子（マルチメディアデータを識別するためのもの）などを含む共通情報、ユーザ管理情報などを含む個別情報、スクランブルキー、およびワークキーなどのデータが入力される。このうち、マルチメディアデータは、データスクランブラ１４に供給され、ＰＮ（ＰｓｅｕｄｏＮｏｉｓｅ）発生器１３が出力する疑似ランダム系列に対応してスクランブルされ、独立データチャンネル多重化回路１２に出力される。ＰＮ発生器１３が発生する疑似ランダム系列は、そこに入力されるスクランブルキーに対応して設定される。なお、このスクランブルキーは、例えば毎日などのように定期的に、あるいは不定期に変更することが可能である。
【００２４】
スクランブルキーは、ＰＮ発生器１３の他、関連情報暗号化回路１１に供給される。暗号化回路１１には、スクランブルキーの他、個別情報、共通情報、およびワークキーが供給される。暗号化回路１１では、ワークキーを用いて、スクランブルキー、個別情報、および共通情報が暗号化される。暗号化されたデータは、関連情報として、独立データチャンネル多重化回路１２に供給される。
【００２５】
独立データチャンネル多重化回路１２は、データスクランブラ１４より供給されるスクランブルされたマルチメディアデータと、暗号化回路１１より供給される関連情報とを多重化し、ディジタルチャンネル信号多重化回路１５に供給する。
【００２６】
以上の構成が、図４を参照して後述する独立データチャンネルにおけるデータを生成するためのエンコーダ２５を構成している。
【００２７】
また、ディジタルチャンネル信号多重化回路１５には、ディジタルチャンネル信号として伝送される音声信号（少なくともその一部は、上述したテレビ局から提供された番組の音声信号である）も入力される。ディジタルチャンネル信号多重化回路１５は、入力された音声信号（ディジタル音声信号）と、エンコーダ２５より供給されるデータとを多重化し、４相ＤＰＳＫ変調器１６に供給する。
【００２８】
４相ＤＰＳＫ変調器１６は、入力されたデータを４相ＤＰＳＫ変調し、映像信号／ディジタルチャンネル信号多重化回路１７に出力する。この映像信号／ディジタルチャンネル信号多重化回路１７には、また、テレビ局から提供された番組の映像信号が入力される。ディジタルチャンネル信号多重化回路１５に入力される音声信号がディジタル信号であるのに対して、映像信号／ディジタルチャンネル信号多重化回路１７に入力される映像信号はアナログ信号とされている。
【００２９】
なお、この映像信号は、将来的には、アナログ信号ではなく、ディジタル信号とし、情報提供者（図１においては、新聞社、出版社、およびテレビ局）から伝送されてくるデータを、すべてマルチメディアデータとして取り扱うようにすることが可能である。
【００３０】
また、映像信号は、スクランブルをかけた後、映像信号／ディジタルチャンネル信号多重化回路１７に入力するようにすることが可能である。この場合、映像信号のスクランブルに用いられたスクランブルキーは、例えば関連情報暗号化回路１１に入力され、そこで暗号化されて、関連情報に含められる。
【００３１】
映像信号／ディジタルチャンネル信号多重化回路１７は、入力される映像信号と、４相ＤＰＳＫ変調器１６より供給される信号とを周波数多重化し、ＦＭ変調器１８に出力する。ＦＭ変調器１８は、入力された信号で所定のキャリアをＦＭ変調し、アップコンバータ１９に出力する。アップコンバータ１９は、入力されたＦＭ信号を、ギガヘルツのオーダの周波数帯域（例えば、ＫｕバンドやＫａバンド）の信号に周波数変換する。アップコンバータ１９より出力されたＦＭ信号は、電力増幅器２０により電力増幅された後、送信アンテナ２１に供給され、そこから衛星４（図１）に送出される。
【００３２】
図４は、４相ＤＰＳＫ変調されたディジタルチャンネルデータのフォーマット（Ａモードのフォーマット）を表している。同図に示すように、横６４ビット、縦３２ビットの、合計２０４８ビットのデータにより、１フレームのデータが構成されている。最初の２ビット×３２ビットの範囲には、フレーム同期信号、制御信号およびレンジビット信号が配置（記録）されるようになされている。１フレームのデータは１ｍｓの時間で伝送されるため、伝送レートは２．０４８Ｍｂｐｓとなる。
【００３３】
フレーム同期信号は、各フレームの同期を取るための信号である。制御信号は、伝送モードがＡモードまたはＢモードのいずれのモードであるのかや、テレビジョン音声信号（テレビ局から提供された番組の音声信号（図４の音声１と２、または音声３と４に配置される））がステレオ信号であるのか、モノラル１チャンネルの信号であるのか、モノラル２チャンネルの信号であるのかなどを表すようになされている。
【００３４】
次に述べる音声１乃至４には、１４ビットで量子化された音声データのうちの、有効桁数の上位１０ビットが選択されて配置される。レンジビット信号は、この選択された音声データの範囲（レンジ）を表すようになされている。
【００３５】
図４に示すように、最初の２×３２ビットの範囲の次の１０×３２ビットの範囲、およびそれに続く３つの１０×３２ビットの範囲には、それぞれ音声１乃至音声４の音声データが記録（配置）されるようになされている（但し、音声３と４には、音声以外のデータが配置される場合もある）。音声４のデータの次には、１５×３２ビットの範囲に、独立データチャンネルのデータが配置され、さらに最後の７×３２ビットの範囲には、横方向の誤り訂正符号が配置されている。
【００３６】
この図４に示す独立データチャンネルのデータは、所定のパケット単位で伝送される。例えば、１パケットは２８８ビットにより構成され、先頭の１６ビットはヘッダとされ、それに続く１９０ビットに実質的なデータが配置され、最後の８２ビットに、パケットの誤り訂正符号が配置される。ヘッダは、少なくともサービス識別符号と、その誤り訂正符号（チェックビット）を含み、サービス識別符号は、例えばそのパケットに配置されたデータが、関連情報およびマルチメディアデータのうちのいずれであるかを識別するための符号などを含んでいる。
【００３７】
独立データチャンネルには、図３に示した関連情報暗号化回路１１が出力する関連情報と、データスクランブラ１４が出力するマルチメディアデータとが、パケット単位で割り付けられ、そのパケットの割り付けられたデータ（そのデータが、関連情報であるか、またはマルチメディアデータであるか）に対応して、サービス識別符号が設定される。
【００３８】
以上のようなデータが、図１におけるサービス運用会社３から衛星４に伝送され、衛星４から、さらに例えば各家庭における受信者（契約者）に伝送される。各家庭（受信側）においては、衛星４から伝送されてきた信号が、室外装置（パラボラアンテナ）５により受信され、所定の中間周波信号（ＩＦ信号）に変換される。このＩＦ信号は、データ受信装置６に入力される。
【００３９】
データ受信装置６では、ＩＦ信号が復調され、さらにその復調信号から、契約したデータ（マルチメディアデータ）が取り出される。そして、このデータは、例えば光磁気ディスク（以下、ＭＯという）８などでなる、データ受信装置６の記録媒体用スロットに着脱可能な記録媒体（その他、例えば磁気ディスクなど）などに記録される。
【００４０】
ＭＯ８にデータを記録した後、ユーザ（受信者）は、所望するときに、そこから必要なデータを検索し、その検索したデータを出力させることができる。即ち、検索したデータを、例えばテレビジョン受像機やコンピュータディスプレイなどでなるモニタ７に表示させ、あるいは、図示せぬスピーカから出力させることができる。
【００４１】
また、ＭＯ８を、例えばポータブル端末や、デスクトップ型の端末（いずれも図示せず）などに装着し、任意の場所で、所望するデータを検索して表示（出力）させることもできる。
【００４２】
図５は、データ受信装置６の構成例を示している。データ受信装置６を構成する各ブロックは、バスを介してデータ（制御用のコマンドなどを含む）のやりとりを行うようになされており、また、ＣＰＵ，ＲＯＭ、およびＲＡＭで構成される処理回路３２により、各ブロックの制御が行われるようになされている。また、このデータ受信装置６は、リモコン９を操作することにより制御することができるようになされている。即ち、リモコン９を操作することにより、その操作に対応した信号が、入力装置３３を介して処理回路３２で受信され、処理回路３２では、リモコン９からの信号に対応した処理が行われる。
【００４３】
このデータ受信装置６においては、室外装置５からのＩＦ信号が、データ受信回路３１に供給される。データ受信回路３１では、入力されたＩＦ信号が復調される。さらに、データ受信回路３１は、処理回路３２の制御の下、受信者が契約したマルチメディアデータ（例えば、所定の新聞社のサマリー記事データとそれに付随するテキストデータ、画像データ、および音声データや、所定の雑誌、書籍のデータとそれに付随するテキストデータ、画像データ、および音声データなど）をデコードし、データ記録媒体コントロール回路３４に出力する。データ記録媒体コントロール回路３４は、データ受信回路３１からのデータを、ＭＯ８に記録する。
【００４４】
その後、リモコン９が操作され、その操作に対応する操作信号が、入力装置３３で受信されると、入力装置３３は、その操作信号を、処理回路３２に転送する。処理回路３２は、所定の操作信号を受信したとき、ＭＯ８に記録されたデータを、データ記録媒体コントロール回路３４に再生させ、ディスプレイインターフェイス３５に供給する。ディスプレイインターフェイス３５は、入力されたデータをビデオ信号に変換し、モニタ７に出力して表示させる（ＭＯ８から再生されたデータが音声データである場合には、そのデータは、図示せぬスピーカから出力される）。これにより、契約者は、契約した新聞や雑誌、書籍、さらにはそれに付随するテキスト、画像、音声を視聴することができる。
【００４５】
なお、データ受信回路３１では、サービス運用会社３から送られてくる（例えば、受信契約を結ぶことにより郵送されてくる）セキュリティモジュールである、例えばＩＣカード１０など（その他、メモリカードなど）よりセキュリティモジュールインターフェイス３６を介して供給されるデータを用い、後述するようにしてデータおよび関連情報の復号（デスクランブル）が行われる。
【００４６】
ＩＣカード１０は、後述する図６に示すように、ワークキーレジスタ１０ａおよび契約内容レジスタ１０ｂで構成されており、ワークキーレジスタ１０ａにはセキュリティ管理を行うための、例えばワークキー（図３の暗号化回路１１に入力されるワークキーと同一のもの）が、契約内容レジスタ１０ｂには受信者がサービス運用会社と受信契約をしたマルチメディアデータのデータ識別子などを含む契約内容が、それぞれ記憶されている。セキュリティモジュールインターフェイス３６は、ＩＣカード１０に記憶されている情報の読み出しを行い、その結果得られるワークキーおよび契約内容をデータ受信回路３１に出力するようになされている。
【００４７】
また、モデム３７は、電話回線と接続されており、所定の通信処理を行うようになされている。即ち、モデム３７は、例えば処理回路３２の指示に従い、所定の電話番号を発呼し、さらに呼設定などの通信制御を行う他、処理回路３２から供給されるデータを変調して電話回線に出力するとともに、電話回線を介して入力される信号を復調して処理回路３２に供給するようになされている。
【００４８】
図６は、データ受信回路３１のより詳細な構成例を示している。室外装置５より入力されたＩＦ信号は、ＦＭ復調器７１に入力される。ＦＭ復調器７１は、ＩＦ信号を、ベースバンド信号に復調し、映像信号／ディジタルチャンネル信号分離回路７２に出力する。映像信号／ディジタルチャンネル信号分離回路７２は、入力された信号から映像信号とディジタルチャンネル信号とを分離する。映像信号は、図示せぬデコーダに供給される。
【００４９】
デコーダでは、供給された映像信号の受信契約が結ばれている場合に、後述する関連情報復号化回路８２から後述するようにして供給されるスクランブルキー（映像信号をスクランブルしたときに用いられたスクランブルキー）を用いての映像信号のデスクランブルが行われる。デスクランブルされた映像信号は、例えばリモコン９の操作に応じて、ディスプレイインターフェイス３５（図４）を介してモニタ７に出力されて表示される。
【００５０】
一方、映像信号／ディジタルチャンネル信号分離回路７２により分離されたディジタルチャンネル信号は、４相ＤＰＳＫ復調器７３に入力され、復調される。４相ＤＰＳＫ復調器７３より出力された信号は、ディジタルチャンネル信号分離回路７４に入力され、そこで音声信号（図３に示した音声１乃至４に配置された信号）と独立データチャンネルの信号とに分離される。音声信号は、それが上述した映像信号に対応するものである場合、例えばリモコン９の操作に応じて、スピーカに供給され、そこから音声として出力される。
【００５１】
また、ディジタルチャンネル信号分離回路７４は、分離した独立データチャンネル信号を、マルチメディアデータ／関連情報分離回路８１に出力する。マルチメディアデータ／関連情報分離回路８１は、入力された信号から、マルチメディアデータと関連情報とを分離し、マルチメディアデータをデータデスクランブラ８７に出力するとともに、関連情報を関連情報復号化回路８２に出力する。なお、これは、上述したサービス識別符号を参照することにより行われる。
【００５２】
関連情報復号化回路８２は、ＩＣカード１０よりセキュリティモジュールインターフェイス３６（図５）を介して供給されるワークキーを用いて、関連情報として入力されてきたスクランブルキー、個別情報、および共通情報を復号する。そして、スクランブルキーは、オン／オフ切換回路８５に出力され、また共通情報に含まれるデータ識別子、および個別情報に含まれるユーザ管理情報は、ダウンロード可否判定回路８３に出力される。
【００５３】
ダウンロード可否判定回路８３は、入力されたデータ識別子を、ＩＣカード１０よりセキュリティモジュールインターフェイス３６を介して供給される契約内容と比較する。この契約内容には、上述したように、あらかじめ契約されているマルチメディアデータのデータ識別子が含まれている。ダウンロード可否判定回路８３は、関連情報復号化回路８２より供給されたユーザ管理情報に、契約料金未納、その他の禁止条件が含まれていない限り、そこに入力される２つのデータ識別子が一致し、さらにその一致したデータ識別子が、ダウンロード要求設定回路８４に記憶されているとき、オン／オフ切換回路８５をオン状態に切り換える制御信号を出力する。これにより、関連情報復号化回路８２より出力されたスクランブルキーが、オン／オフ切換回路８５を介してＰＮ発生器８６に供給される。
【００５４】
ここで、ダウンロード要求設定回路８４には、例えばリモコン９を操作することによって、受信者（契約者）が契約したマルチメディアデータのうち、ダウンロードを希望するもののデータ識別子が、あらかじめ登録されている。従って、ダウンロード可否判定回路８３において、制御信号は、契約したマルチメディアデータであって、ダウンロードを希望するものが受信されたときに出力されることになる。
【００５５】
ＰＮ発生器８６は、入力されたスクランブルキーに対応して、疑似ランダム系列を発生する。データデスクランブラ８７は、このＰＮ発生器８６より供給された疑似ランダム系列を利用して、マルチメディアデータ／関連情報分離回路８１より供給されるマルチメディアデータをデスクランブルして出力する。データデスクランブラ８７から出力されたマルチメディアデータは、データ記録媒体コントロール回路３４を介してＭＯ８に供給されて記録される。
【００５６】
なお、関連情報復号化回路８２は、入力された関連情報の復号結果にテレビ局からの映像信号のスクランブルに用いられたスクランブルキーが含まれている場合、それをデコーダに出力する。これにより、デコーダでは、そのスクランブルキーを用いて、上述したように映像信号／ディジタルチャンネル信号分離回路７２から出力される映像信号がデスクランブルされる。
【００５７】
以上のようにして、マルチメディアデータがＭＯ８に記録された後は、上述したようにしてリモコン９を操作することにより、そこからユーザの所望するデータを検索し、モニタ７に表示させたり、あるいはスピーカから読み上げの音声や動画に付属した音声を出力させることができる。
【００５８】
例えば、図７に示すような見出し一覧画面（見出し画面）がモニタ７に表示された状態で、図１０のフローチャートを参照して後述する自動再生モードを指定することにより、この見出し一覧画面に表示された各記事の見出しの順に、そのサマリー記事を、図８に示すような記事画面として表示するとともに、それを音声によって読み上げさせるようにすることができる。また、見出し一覧画面において、ユーザが指定した所定の記事から順に、そのサマリー記事を順次記事画面に表示するとともに、そのサマリー記事の読み上げを始めさせることもできる。
【００５９】
ここで、この見出し一覧画面にどの記事を表示させるかということと、表示させる記事の表示順序を決定する必要が生じる。
【００６０】
一般のパソコン通信サービスの中のホットニュースサービスにおいては、ユーザが、データベースセンタのデータベースにアクセスした時刻に近い時刻に、そこに新聞社等から到着した記事から順番に表示される。このため、所定の時刻にデータベースセンタにアクセスし、その日のトップニュースを見たいと思ったとしても、重要な記事の発生時刻が早かったために、その重要な記事の表示順序が後の方になってしまう場合がある。
【００６１】
それとは逆に、大して重要でない記事であっても、それがデータベースセンタにアクセスした時刻の直前に新聞社等から到着したため、表示順序が最も上位に位置し、それが最初に表示されることもあり得る。このようなことから、逐次受信される記事データに対し、受信時刻に拘らず、読者にとって最も関心が深く、しかも重要度の高い記事から順に表示させるアルゴリズムが必要になる。
【００６２】
まず最初に、政治面や経済面のような個別の紙面の見出し一覧を表示させる場合に必要となる、新聞社が決定した各記事の重要度に応じて見出し一覧を表示させる方法について説明する。この場合、読者の好みは反映されないが、個別の紙面ではその必要はないと考えられる。
【００６３】
具体的には、図２に示すように、各記事に１００点満点で付いている記事の重要度を示す重要度ポイント（ＰＩ）の高い順に表示させる。ただし、この場合、重要度の高い記事はいつまでたっても上位にランクされてしまうため、現在の時刻と受信した時刻の間の時間をＴとして、図９に示すような経過時間Ｔの関数である重みＷｔを、重要度ポイントに掛け合わせた値を各記事の重要度を表すものとして計算し、その点数の高い記事から順に、予め定められた数だけの記事の見出しを見出し一覧画面に表示する。
【００６４】
即ち、各記事の重要度は次式（式１）により表される。重要度ポイント（ＰＩ）にかけ合わされる重み（Ｗｔ）は、受信してから１２時間だけ経過するまでの間は値１．０であるが、受信してから１２時間だけ経過した後は、時間に比例して減少し、１日（２４時間）だけ経過すると重みＷｔが値０となり、その結果、重要度が値０になるような関数（評価関数）を用いた。
【００６５】
重要度  ＝  ＰＩ×Ｗｔ  ・・・（式１）
式１において、Ｗｔは、時間Ｔに応じて以下のように変化する。
即ち、
ｉｆ  ０＜Ｔ＜Ｔｈ
ｔｈｅｎ  Ｗｔ＝１．０
ｅｌｓｅ  ｉｆ  Ｔｈ＜＝Ｔ＜２Ｔｈ
ｔｈｅｎ  Ｗｔ＝１．０−（Ｔ−Ｔｈ）／Ｔｈ
ｅｌｓｅ
Ｗｔ＝０
ただし、Ｔｈ＝１２ｈｏｕｒ。
【００６６】
各ジャンル（例えば、トップ、総合、解説、政治、国際、経済、商況、家庭、ラジオ、スポーツ、地域、社会、テレビ、特集、天気、お知らせ、読書、その他などの紙面）の記事を独立に表示させる場合、上記式（式１）で表される評価関数でよいが、トップ面を表示させる場合、ユーザの関心を反映させる形で、見出し一覧画面に表示する記事を選択する必要がある。即ち、読者にとって最も関心が深く、しかも重要度の高い記事から順に表示させるようにするアルゴリズムが必要となる。
【００６７】
例えば、ユーザが、上述した重要度ポイント（ＰＩ）の場合と同様に１００点満点で、各ジャンル毎に関心度を示すポイント（ＰＧ）を、各ジャンルに予め付けておく。新聞社の付加した重要度ポイント（ＰＩ）に、その記事のジャンルに対してユーザが予め付与した関心度を示すポイント（ＰＧ）を足し合わせた結果を、各記事の重要度を表すものとして計算し、その点数の高い記事から順に予め定まった数だけその記事の見出しを、見出し一覧画面に表示する。
【００６８】
重要度ポイントＰＩに時間関数の重み（Ｗｔ）を掛け合わせることは、上述した個別紙面の場合と同様である。
【００６９】
従って、この場合、重要度は次式（式２）で表される。
【００７０】
重要度  ＝  ＰＩ×Ｗｔ＋ＰＧ  ・・・（式２）
【００７１】
上記式（式２）の場合、ユーザの好みを反映させる方法として、新聞社が決めた重要度ポイント（ＰＩ）と、ユーザが決めた関心度を表すポイント（ＰＧ）を加算するようにしたが、加算するのではなく、次式（式３）に示すように、重要度ポイント（ＰＩ）と、ユーザの関心度を表すポイント（ＰＧ）に対応する後述する関数Ｆ（ＰＧ）を掛け合わせるようにしてもよい。
【００７２】
重要度  ＝  ＰＩ×Ｗｔ×Ｆ（ＰＧ）  ・・・（式３）
【００７３】
ここで関数Ｆ（ＰＧ）は、ユーザの好みを重要度の決定にどの程度反映させるかを決めるための関数であり、例えば次式（式４）のように表されるものとする。
【００７４】
Ｆ（ＰＧ）＝（１−Ｂ）×ＰＧ／１００＋Ｂ  ・・・（式４）
【００７５】
上記式（式４）において、変数Ｂは、０から１．０の範囲内の任意の実数とする。
【００７６】
関数Ｆ（ＰＧ）が、上記式（式４）のように表される場合、変数Ｂの値を値０に近付けるほど、関数Ｆ（ＰＧ）の値は、ユーザの関心度を示すポイント（ＰＧ）の値の変化に伴って、より大きく変化するようになる。その結果、ユーザの好みをより反映した形で各記事の重要度が決定される。
【００７７】
逆に、変数Ｂの値を値１．０に近づけるほど、関数Ｆ（ＰＧ）の値は、ユーザの関心度を示すポイント（ＰＧ）の値が変化しても、あまり変化しなくなる。その結果、ユーザの好みをあまり反映しない形で各記事の重要度が決定される。
【００７８】
上述したようなアルゴリズムに従って、ＭＯ８に現在より２４時間前以降に記録された記事を、新聞社が決定した重要度に基づいて、重要度が高く、かつ最新のものから順にモニタ７に表示させることができる。或いは、新聞社が決定した重要度とユーザの関心度の双方に基づいて記事の重要度を決定し、重要度の高い記事から順にモニタ７に表示させるようにすることもできる。
【００７９】
次に、ＭＯ８に記録したデータを読み出す動作例について説明するが、この読み出しのためのモードとして、自動再生モードとしおり再生モードの２つのモードが設けられている。これらのモードにおいては、予め所定のジャンルを登録しておくと、その登録されているジャンルに属するデータのみが表示されるようになる。従って、各ユーザが関心のあるジャンルを予め登録しておくことで、全く興味のないジャンルについて無駄に表示が行われることを防止することができる。
【００８０】
ここでは、図１０のフローチャートを参照して、自動再生モードにおける自動再生処理の詳細について説明する。最初に、ステップＳ２１において、予め登録したジャンルのうち、最初のジャンルの見出し一覧画面が表示される。図７は、見出し一覧画面の表示例を示している。この実施例は、トップのジャンルの見出し一覧画面を表している。
【００８１】
図７に示すように、この画面の記事情報の表示領域の左側には、「見出し」、「前の記事」、「次の記事」のボタンアイコンが表示され（但し、この表示状態においては、「前の記事」と「次の記事」のボタンアイコンは選択不可のため、実質的には表示されない）、一番上側には、この自動再生モードにおいて、再生すべきジャンルとして登録されている各ジャンルのボタンアイコン（この実施例の場合、トップ、スポーツ、政治、および社会のボタンアイコン）が表示される。
【００８２】
この実施例の場合、４つのジャンルのボタンアイコンのうち、いま選択されているトップのボタンアイコンが引っ込んで表示されているとともに、この表示は見出し一覧画面の表示であるため、見出しのボタンアイコンが例えば黄色く光って表示されている。
【００８３】
また、画面の右上には、自動再生としおり再生のボタンアイコンが表示される。いまの場合、「おこのみコース」（自動再生モード）が選択されているため、見出し一覧画面表示中の場合、または記事画面表示中において自動再生状態が停止している場合を除いて、自動再生のボタンアイコンが、例えば黄色く光って表示されており、しおり再生のボタンアイコンは、常に灰色に表示されている。
【００８４】
また、これらのボタンアイコンの下側には、現在選択されているジャンル（いまの場合、トップ）の記事の見出しが表示されている。この実施例においては、トップの記事として、社会のジャンルの記事が１つ、経済のジャンルの記事が１つ、国際のジャンルの記事が２つ、そして、政治のジャンルの記事が１つ、表示されている。
【００８５】
以上の記事情報の表示領域の下方には、広告領域が設けられ、そこに広告情報が表示されている。この広告領域には、「日程紹介」や「広告索引」のボタンアイコンが表示されており、「日程紹介」のボタンアイコンを選択すれば、ここに表示されている旅行広告のより詳細な日程などを表示させることができるようになされている。また、「広告索引」のボタンアイコンを選択すれば、旅行、その他の広告の索引を表示させ、その中から、所望の広告をさらに選択することができるようになされている。
【００８６】
ステップＳ２１において、このように見出し一覧画面が表示された後、所定の時間だけ経過すると、次にステップＳ２２に進み、ステップＳ２１において見出し一覧表示画面に表示された記事のうち、最初の記事の画面が表示される。この実施例の場合、図７の一番上に表示されている「ソリブジン、臨床実験でも３人死亡」の記事が表示される。即ち、その記事のサマリー記事（サマリーテキスト）が表示されるとともに、そのテキストの音声読み上げが行われる。
【００８７】
ステップＳ２３においては、いま行われている音声読み上げが終了したか否かが判定され、終了していないと判定された場合、ステップＳ２４に進み、画面上に表示されているボタンアイコンのうち、いずれかが操作されたか否かが判定される。いずれのボタンアイコンも操作されていなければ、ステップＳ２２に戻り、それ以降の処理を繰り返し実行する。即ち、その記事の表示動作が継続される。
【００８８】
ステップＳ２３において、いま表示されている記事の音声読み上げが終了したと判定された場合においては、ステップＳ２５に進み、いま表示されている記事がそのジャンル（いまの場合、トップ）の最後の記事であるか否かが判定される。トップのジャンルの記事がまだ他にもある場合においては、ステップＳ２６に進み、トップのジャンルの次の記事が選択され、ステップＳ２２に戻り、その記事が表示される。即ち、この実施例の場合、次に「政府税調が「実質増税」答申固める」の記事を表示する。
【００８９】
そして、この記事の読み上げが終了したとステップＳ２３において判定されたとき、再びステップＳ２５に戻り、この記事がトップのジャンルの最後の記事であるか否かが判定され、最後の記事でなければ、ステップＳ２６に進み、次の記事「米が日韓に北朝鮮制裁決議草案を示す」の記事が選択される。そして、ステップＳ２２において、この記事が表示される。
【００９０】
以上のようにして、例えば第４番目の記事がステップＳ２６において選択されると、ステップＳ２２において、例えば図８に示すような「北朝鮮の原子力開発の全体像を探る」の記事が表示される。
【００９１】
図８に示すように、この表示画面の記事表示領域には、しおり再生（予め選択した記事だけを順次再生する）、自動再生、見出し、前の記事、次の記事の各ボタンアイコンが表示されるとともに、さらに、記事全文のボタンアイコンも表示されている。また、広告領域においては、この広告がコンサートに関する広告であるため、そのコンサートの空席情報を知るためのボタンアイコンが、広告索引を表示するボタンアイコンとともに表示されている。
【００９２】
以上のようにして、ステップＳ２５において、トップのジャンルの最後の記事が表示されたと判定された場合においては、ステップＳ２７に進み、いま選択されているジャンルが自動再生の対象として登録されているジャンルの最後のジャンルであるか否かが判定される。最後のジャンルではない場合においては、ステップＳ２８に進み、次のジャンルが選択される。いまの場合、スポーツのジャンルが選択される。そして、ステップＳ２１に戻り、スポーツの見出し一覧画面が表示され、さらにステップＳ２２に進み、そのスポーツのジャンルの最初の記事が表示される。
【００９３】
以下、同様にして、各ジャンルの各記事が順次自動的に表示される。
【００９４】
そして、ステップＳ２７において、自動再生の対象として登録されている最後のジャンル（この実施例の場合、社会）であると判定された場合においては、自動再生処理が終了される。
【００９５】
一方、例えば、図８に示すような個別の記事が表示されている状態において、ステップＳ２４で、いずれかのボタンアイコンが操作されたと判定された場合においては、操作されたボタンアイコンに対応して、ステップＳ２９，Ｓ３０，Ｓ３１，Ｓ３４，Ｓ３７のいずれかの処理が実行される。
【００９６】
ステップＳ２４において、前の記事のボタンアイコンが選択されたと判定された場合においては、ステップＳ２９に進み、前の記事の選択処理が実行される。即ち、例えば図８に示す「北朝鮮の原子力開発の全体像を探る」の記事が表示されている状態において、前の記事のボタンアイコンが選択された場合においては、１つ前の記事である（図７参照）「米が日韓に北朝鮮制裁決議草案を示す」の個別記事が表示される。
【００９７】
これに対して、ステップＳ２４において、次の記事のボタンアイコンが操作されたと判定された場合においては、ステップＳ３０に進み、次の記事選択処理が実行される。例えば、図８に示す記事が表示されている状態において、次の記事のボタンアイコンが選択された場合においては、「細川前首相の金銭問題で元秘書が証言」の記事が表示される。
【００９８】
ステップＳ２４において、記事全文のボタンアイコンが選択されたと判定された場合においては、ステップＳ３１に進み、その記事全文（より詳細な記事）の画面を読み出し、表示する処理が実行される。そして、ステップＳ３２において、その記事全文の読み上げが終了されたか否かが判定され、終了されるまで、その記事全文が画面に表示される。読み上げが終了したとステップＳ３２において判定された場合においては、ステップＳ３３に進み、次の記事が選択され、ステップＳ２２に戻り、その記事が表示される。
【００９９】
なお、この記事全文の画面には、さらに関連する記事や情報を検索することができるように、所定のデータベースにアクセスするためのボタンアイコンを用意し、このボタンアイコンを操作した場合においては、そのデータベースへ直接アクセスするようにすることも可能である。
【０１００】
ステップＳ２４において、自動再生のボタンアイコンが選択されたと判定された場合においては、ステップＳ３４に進み、自動再生状態を停止させる。そして、自動再生のボタンアイコンを灰色の表示に変化させる。これにより、音声読み上げも一時中断され、画面も静止画（ポーズ状態）となる。
【０１０１】
この状態が、ステップＳ３５において、自動再生のボタンアイコンが再び操作されたと判定されるまで継続され、自動再生のボタンアイコンが再び操作されたと判定されたとき、ステップＳ３６に進み、自動再生のボタンアイコンを明るく表示し、ステップＳ２２に戻り、それ以降の処理を繰り返し実行する。
【０１０２】
即ち、自動再生モードで個別の記事が表示されている状態において、自動再生のボタンアイコンを操作すると、いわゆるポーズ状態となる。そして、このポーズ状態は、自動再生のボタンアイコンを再び操作することで解除される。
【０１０３】
ステップＳ２４において、見出しのボタンアイコンが操作されたと判定された場合においては、ステップＳ３７に進み、いま表示されている個別記事が属するジャンルの見出し一覧画面が再び表示される。即ち、ステップＳ２１において表示された見出し一覧画面と同一の見出し一覧画面（図７の見出し一覧画面）が再び表示される。
【０１０４】
そして、ステップＳ３８において、その見出し一覧画面に表示されているボタンアイコンのうち、いずれかのボタンアイコンが操作されたと判定されるまで待機する。いずれかのジャンルを選択するボタンアイコンが選択されたと判定された場合においては、ステップＳ４０に進み、その指定されたジャンルを選択する処理が実行され、ステップＳ３７に戻り、その指定されたジャンルの見出し一覧画面が表示される。例えば図７に示すトップのジャンルの見出し一覧画面が表示されている状態において、スポーツのボタンアイコンが選択された場合においては、スポーツの見出し一覧画面が表示される。
【０１０５】
ステップＳ３８において、いま表示されているジャンルの見出し一覧画面に表示されている記事に対応するボタンアイコンが選択されたと判定された場合においては、ステップＳ３９に進み、その指定された個別の記事を選択する処理が実行される。そして、ステップＳ２２に戻り、その選択された記事の画面が表示される。
【０１０６】
なお、各記事の表示には、サマリー記事の他、記事に応じて付加された写真、動画、図面なども表示されることは元よりである。
【０１０７】
また、自動再生モードを指定した場合における再生の順番は、各情報に対応して付属された重要度（図２）に基づいて決定される。重要度が同一の場合においては、時間的に先に伝送された情報が先に表示される。
【０１０８】
以上のようにして、自動的に各記事を順次再生している状態において、前の記事または次の記事を選択すれば、それぞれ前の記事または次の記事を表示した後、再び元の自動再生状態に戻ることができる。また、同様に、所定の記事の詳細を表示させた後も、自動的に元の自動再生状態に戻ることができる。自動再生状態において、一時的に見出し一覧画面を表示させ、その画面から新たな記事を指定したり、新たなジャンルを指定し、そのジャンルの新たな記事を指定した場合においても、その記事の表示が終了すると、再び自動再生状態に戻る。
【０１０９】
上記実施例においては、ユーザが記事の見出しを見出し一覧画面に表示し、その中の所定の記事のサマリー記事を記事画面に一旦表示させ、再度、記事の見出しを見出し一覧画面に表示させた場合、全く同じ評価関数により各記事の重要度が再度決定されるため、既にサマリー記事を記事画面に表示させた記事の見出しが、再度、見出し一覧画面に表示される場合がある。
【０１１０】
これを防止するために、例えば、ユーザが所定の記事のサマリー記事を記事画面に一旦表示すると、その記事の重要度を極端に小さい値に設定し直し、一旦サマリー記事が記事画面に表示された記事の見出しは、再度見出し一覧画面に表示されないようにすることができる。
【０１１１】
なお、上記実施例においては、衛星を介して情報を配信するようにしたが、ケーブル、その他の伝送路を介して情報を配信するようにすることも可能である。
【０１１２】
【発明の効果】
以上の如く、請求項１に記載の情報表示方法によれば、情報に重要度を付属させ、その重要度と受信時刻からの経過時間に対応した所定の順番で情報を表示するようにしたので、極めて多くの情報の中から重要かつ最新の情報を短時間で効率的に見ることが可能になる。また、必要に応じて、より詳細な情報を表示することができるようにしたので、関心の高い情報については、より詳細に知ることができ、より短時間で効率的に必要な情報だけを見ることが可能となる。
【０１１３】
請求項３に記載の情報表示方法によれば、情報に重要度を付属させ、その重要度、受信時刻からの経過時間、およびユーザの関心度に対応した所定の順番で情報を表示するようにしたので、極めて多くの情報の中から重要、最新、かつ関心のある情報を短時間で効率的に見ることが可能になる。また、必要に応じて、より詳細な情報を見ることができるようにしたので、関心の高い情報については、より詳細に知ることができ、より短時間で効率的に必要な情報だけを見ることが可能となる。
【図面の簡単な説明】
【図１】本発明を適用したデータ放送システムの構成例を示す図である。
【図２】各記事データのフォーマットを示す図である。
【図３】図１のサービス運用会社３が有する送信装置の構成例を示すブロック図である。
【図４】ディジタルチャンネルデータのフォーマットを説明する図である。
【図５】図１のデータ受信装置６の構成例を示すブロック図である。
【図６】図５のデータ受信回路３１の構成例を示すブロック図である。
【図７】見出し一覧画面の一例を示す図である。
【図８】記事画面の一例を示す図である。
【図９】記事の重要度を表現するための時間関数を示す図である。
【図１０】自動再生処理を説明するためのフローチャートである。
【符号の説明】
１  大型計算機
２  編集装置
３  サービス運用会社
４  衛星
５  室外装置
６  データ受信装置
７  モニタ
８  光磁気ディスク（ＭＯ）
９  リモコン
１０  ＩＣカード
１０ａ  ワークキーレジスタ
１０ｂ  契約内容レジスタ
１１  関連情報暗号化回路
１２  独立データチャンネル多重化回路
１３  ＰＮ発生器
１４  データスクランブラ
１５  ディジタルチャンネル信号多重化回路
１６  ４相ＤＰＳＫ変調器
１７  映像信号／ディジタルチャンネル信号多重化回路
１８  ＦＭ変調器
１９  アップコンバータ
２０  電力増幅器
２１  送信アンテナ
２５  エンコーダ
３１  データ受信回路
３２  処理回路
３３  入力装置
３４  データ記録媒体コントロール回路
３５  ディスプレイインターフェイス
３６  セキュリティモジュールインターフェイス
３７  モデム
７１  ＦＭ復調器
７２  映像信号／ディジタルチャンネル信号分離回路
７３  ４相ＤＰＳＫ復調器
７４  ディジタルチャンネル信号分離回路
８１  マルチメディアデータ／関連情報分離回路
８２  関連情報復号化回路
８３  ダウンロード可否判定回路
８４  ダウンロード要求設定回路
８５  オン／オフ切り換え回路
８６  ＰＮ発生器
８７  データデスクランブラ
【図１】
0003565288.tif 000002
【図２】
0003565288.tif 000003
【図３】
0003565288.tif 000004
【図４】
0003565288.tif 000005
【図５】
0003565288.tif 000006
【図６】
0003565288.tif 000007
【図７】
0003565288.tif 000008
【図８】
0003565288.tif 000009
【図９】
0003565288.tif 000010
【図１０】
0003565288.tif 000011